(57)【要約】【課題】サイト画面中に含まれるサイズが変化するバナー広告を、ユーザに長く見させるようにする。【解決手段】ウェブサイトをネットワークＮＷ上に設けるサーバ装置１０へ携帯電話機３がアクセスして、サイト画面を表示する。サイト画面中に含まれるバナー広告の枠サイズが拡大するように変化すると、携帯電話機３は計時を開始し、バナー広告に対してクリック操作をユーザから受け付けると、計時した時間をサーバ装置１０へ送信する。サーバ装置１０は、送信されてきた計時時間に応じたポイントを算出すると共に、特典として、算出したポイントに応じたスペシャルコンテンツを携帯電話機３へ送信することで、拡大変化するバナー広告をユーザが注目して見るように仕向ける。【選択図】図１
2008250578.tif 000002
【特許請求の範囲】
【請求項１】
自機の識別データを有すると共に操作の受け付けが可能な表示端末機が、ネットワーク上にウェブサイトを設けたサーバ装置へアクセスし、前記サーバ装置が、前記表示端末機に対するポイントを算出するポイント算出方法において、
前記サーバ装置は、
サイト画面中に表示されるオブジェクトの状態を変化させる処理と、表示時間を計時する処理と、オブジェクトに対する操作を受け付けた場合、計時した時間を送信する処理とを規定した処理規定データを含むウェブサイトに係るサイト表示データを前記表示端末機へ送信し、
前記表示端末機は、
受信したサイト表示データに応じて、状態が変化するオブジェクトを含むサイト画面を表示し、
受信したサイト表示データに含まれる前記処理規定データに基づき、オブジェクトの表示に係る時間を計時し、
表示されるオブジェクトに対する操作を受け付けた場合、前記処理規定データに基づき、計時した時間を自機の識別データと共に前記サーバ装置へ送信し、
前記サーバ装置は、
受信した時間の数値に応じて、前記識別データに対応付けるポイントを算出することを特徴とするポイント算出方法。
【請求項２】
自機の識別データを有すると共に操作の受け付けが可能な表示端末機が、ネットワーク上にウェブサイトを設けたサーバ装置へアクセスし、前記サーバ装置が、前記表示端末機に対するポイントを算出するポイント算出方法において、
前記サーバ装置は、
サイト画面中に表示されるオブジェクトの状態を変化させる処理と、オブジェクトに対する操作を受け付けたときのオブジェクトの状態を変化させる処理の進行度合を特定する処理と、特定した進行度合を送信する処理とを規定した処理規定データを含むウェブサイトに係るサイト表示データを前記表示端末機へ送信し、
前記表示端末機は、
受信したサイト表示データに応じて、状態が変化するオブジェクトを含むサイト画面を表示し、
表示されるオブジェクトに対する操作を受け付けた場合、前記処理規定データに基づき、操作を受け付けたときのオブジェクトの状態を変化させる処理の進行度合を特定し、
前記処理規定データに基づき、特定した進行度合を自機の識別データと共に前記サーバ装置へ送信し、
前記サーバ装置は、
受信した進行度合に応じて、前記識別データに対応付けるポイントを算出することを特徴とするポイント算出方法。
【請求項３】
自機の識別データを有すると共に操作の受け付けが可能な表示端末機が、ネットワーク上にウェブサイトを設けたサーバ装置へアクセスし、前記サーバ装置が、前記表示端末機に対するポイントを算出するポイント算出方法において、
前記サーバ装置は、
サイト画面中に表示されるオブジェクトのサイズを変化させる処理と、オブジェクトに対する操作を受け付けたときのオブジェクトのサイズを特定する処理と、特定したサイズを送信する処理とを規定した処理規定データを含むウェブサイトに係るサイト表示データを前記表示端末機へ送信し、
前記表示端末機は、
受信したサイト表示データに応じて、サイズが変化するオブジェクトを含むサイト画面を表示し、
表示されるオブジェクトに対する操作を受け付けた場合、前記処理規定データに基づき、操作を受け付けたときのオブジェクトのサイズを特定し、
前記処理規定データに基づき、特定したサイズを自機の識別データと共に前記サーバ装置へ送信し、
前記サーバ装置は、
受信したサイズに応じて、前記識別データに対応付けるポイントを算出することを特徴とするポイント算出方法。
【請求項４】
ネットワーク上にウェブサイトを設けたサーバ装置へ、自機の識別データを有すると共に操作の受け付けが可能な表示端末機がアクセスしてポイントを算出するポイント算出方法において、
前記サーバ装置は、
サイト画面中に表示されるオブジェクトの状態を変化させる処理と、表示時間を計時する処理と、オブジェクトに対する操作を受け付けた場合、計時した時間に応じたポイントを算出する処理と、算出したポイントを送信する処理とを規定した処理規定データを含むウェブサイトに係るサイト表示データを前記表示端末機へ送信し、
前記表示端末機は、
受信したサイト表示データに応じて、状態が変化するオブジェクトを含むサイト画面を表示し、
受信したサイト表示データに含まれる前記処理規定データに基づき、オブジェクトの表示に係る時間を計時し、
表示されるオブジェクトに対する操作を受け付けた場合、前記処理規定データに基づき、計時した時間に応じたポイントを算出し、
前記処理規定データに基づき、算出したポイントを自機の識別データと対応付けて前記サーバ装置へ送信することを特徴とするポイント算出方法。
【請求項５】
ネットワーク上にウェブサイトを設けたサーバ装置へ、自機の識別データを有すると共に操作の受け付けが可能な表示端末機がアクセスしてポイントを算出するポイント算出方法において、
前記サーバ装置は、
サイト画面中に表示されるオブジェクトの状態を変化させる処理と、オブジェクトに対する操作を受け付けたときのオブジェクトの状態を変化させる処理の進行度合を特定する処理と、特定した進行度合に応じたポイントを算出する処理と、算出したポイントを送信する処理とを規定した処理規定データを含むウェブサイトに係るサイト表示データを前記表示端末機へ送信し、
前記表示端末機は、
受信したサイト表示データに応じて、状態が変化するオブジェクトを含むサイト画面を表示し、
表示されるオブジェクトに対する操作を受け付けた場合、前記処理規定データに基づき、操作を受け付けたときのオブジェクトの状態を変化させる処理の進行度合を特定し、
前記処理規定データに基づき、特定した進行度合に応じたポイントを算出し、
前記処理規定データに基づき、算出したポイントを自機の識別データと対応付けて前記サーバ装置へ送信することを特徴とするポイント算出方法。
【請求項６】
ネットワーク上にウェブサイトを設けたサーバ装置へ、自機の識別データを有すると共に操作の受け付けが可能な表示端末機がアクセスしてポイントを算出するポイント算出方法において、
前記サーバ装置は、
サイト画面中に表示されるオブジェクトのサイズを変化させる処理と、オブジェクトに対する操作を受け付けたときのオブジェクトのサイズを特定する処理と、特定したサイズに応じたポイントを算出する処理と、算出したポイントを送信する処理とを規定した処理規定データを含むウェブサイトに係るサイト表示データを前記表示端末機へ送信し、
前記表示端末機は、
受信したサイト表示データに応じて、サイズが変化するオブジェクトを含むサイト画面を表示し、
表示されるオブジェクトに対する操作を受け付けた場合、前記処理規定データに基づき、操作を受け付けたときのオブジェクトのサイズを特定し、
前記処理規定データに基づき、特定したサイズに応じたポイントを算出し、
前記処理規定データに基づき、算出したポイントを自機の識別データと対応付けて前記サーバ装置へ送信することを特徴とするポイント算出方法。
【請求項７】
自機の識別データを有すると共に操作の受け付けが可能な表示端末機が、ネットワーク上にウェブサイトを設けたサーバ装置へアクセスして、前記サーバ装置が、前記表示端末機に対するポイントを算出するポイント算出システムにおいて、
前記サーバ装置は、
サイト画面中に表示されるオブジェクトの状態を変化させる処理と、変化に係る度合を特定する処理と、オブジェクトに対する操作を受け付けた場合、特定した度合を送信する処理とを規定した処理規定データを含むウェブサイトに係るサイト表示データを前記表示端末機へ送信する手段を備え、
前記表示端末機は、
受信したサイト表示データに応じて、状態が変化するオブジェクトを含むサイト画面を表示する手段と、
受信したサイト表示データに含まれる前記処理規定データに基づき、オブジェクトの変化に係る度合を特定する手段と、
表示されるオブジェクトに対する操作を受け付けた場合、前記処理規定データに基づき、特定した度合を自機の識別データと共に前記サーバ装置へ送信する処理を行う手段と
を備え、
前記サーバ装置は、
受信した度合に応じて、前記識別データに対応付けるポイントを算出する手段を備えることを特徴とするポイント算出システム。
【請求項８】
ネットワーク上にウェブサイトを設けた外部サーバ装置へアクセスする通信手段と、自己の識別データを記憶する手段と、操作の受け付けを行う操作受付手段とを備えるコンピュータに、アクセスに応じて表示するサイト画面中で状態が変化するオブジェクトに係る処理を行わせるためのコンピュータプログラムにおいて、
コンピュータを、
表示されるサイト画面中のオブジェクトの変化に係る度合を特定する処理を行う手段と、
表示されるオブジェクトに対する操作を前記操作受付手段で受け付けた場合、特定した度合を自己の識別データと共にアクセス先へ、前記通信手段で送信する処理を行う手段として機能させることを特徴とするコンピュータプログラム。
【請求項９】
ネットワーク上にウェブサイトを設けた外部サーバ装置へアクセスする通信手段と、自己の識別データを記憶する手段と、操作の受け付けを行う操作受付手段とを備えるコンピュータに、アクセスに応じて表示するサイト画面中で状態が変化するオブジェクトに係る処理を行わせるためのコンピュータプログラムにおいて、
コンピュータを、
表示されるサイト画面中のオブジェクトの変化に係る度合を特定する処理を行う手段と、
表示されるオブジェクトに対する操作を前記操作受付手段で受け付けた場合、特定した度合に応じたポイントを算出する処理を行う手段と、
算出したポイントを自己の識別データと対応付けてアクセス先へ、前記通信手段で送信する処理を行う手段として機能させることを特徴とするコンピュータプログラム。
【発明の詳細な説明】
【技術分野】
【０００１】
本発明は、サイズ、状態等が変化するバナー広告等のオブジェクトを含むサイト画面を、ユーザに長く閲覧してもらえるようにするため、オブジェクトの変化状況に対するユーザの操作時期に応じてポイントを算出するようにしたポイント算出方法、ポイント算出システム、表示通信機およびコンピュータプログラムに関する。
【背景技術】
【０００２】
従来、ユーザの表示端末機（通信機能を有するコンピュータ、携帯電話機等が該当）でウェブサーバへアクセスすれば、そのウェブサーバがネットワーク上に設けているウェブサイトのサイト画面をユーザが閲覧できる。昨今、ウェブサイトのサイト画面は、公告掲載媒体として広く使用されており、例えば、広告したい商品のウェブサイトへリンクしたバナー広告をサイト画面に掲載して、バナー広告がユーザによりクリックされると、広告対象の商品に係るウェブサイトへ表示画面を切り替えることが行われている。
【０００３】
また、上述したバナー広告に対するユーザのクリック操作を高めるために、様々な工夫が考えられており、例えば、下記の特許文献１では、バナー広告のクリック操作状況に応じてユーザに特典を付与する技術が開示されている。
【特許文献１】特開２００２−２０３１７９号公報
【発明の開示】
【発明が解決しようとする課題】
【０００４】
近時は、バナー広告に対するユーザの注目を集めるために、バナー広告にカーソルを合わせると、バナー広告の欄が大きくなり、詳細な広告内容をユーザに表示できるようにしたものが存在する。また、バナー広告を用いる以外にもサイト画面中に広告等に関する動画を再生してユーザの注意を引くようにしたもの、サイト画面中をアイコン画像が自由に動き回るようなゲーム的要素を盛り込み、その動く様子をユーザが眺めることで、そのサイト画面の閲覧時間を長くするようにしたもの等も存在する。
【０００５】
しかし、バナー広告の枠サイズが大きくなるようにしたサイト画面では、大きくなったバナー広告により、サイト画面中の他の情報が隠されてしまうため、隠された情報が観づらいことから、枠サイズが変化するバナー広告を含むサイト画面の閲覧を好まないユーザが存在することも考えられ、このようなユーザに対しても、バナー広告を閲覧してもらう工夫が必要となる。また、広告等に関する動画再生でユーザの注意を惹き付けるようにした場合でも、同じ内容の動画が続くとユーザに飽きられてしまうと云う問題がある。さらに、サイト画面中をアイコン画像が自由に動き回る工夫を入れたとしても、動画再生と同様に、最終的にはユーザに飽きられてしまうおそれがある。
【０００６】
本発明は、斯かる事情に鑑みてなされたものであり、バナー広告、動画、自由に動き回るアイコン画像等のオブジェクトを含むサイト画面に対するユーザの操作時期に応じてユーザへポイントを付与することで、ユーザにサイト画面を長く観てもらうようにしたポイント算出方法、ポイント算出システム、表示通信機およびコンピュータプログラムに関する。
【課題を解決するための手段】
【０００７】
上記課題を解決するために本発明に係るポイント算出方法は、自機の識別データを有すると共に操作の受け付けが可能な表示端末機が、ネットワーク上にウェブサイトを設けたサーバ装置へアクセスし、前記サーバ装置が、前記表示端末機に対するポイントを算出するポイント算出方法において、前記サーバ装置は、サイト画面中に表示されるオブジェクトの状態を変化させる処理と、表示時間を計時する処理と、オブジェクトに対する操作を受け付けた場合、計時した時間を送信する処理とを規定した処理規定データを含むウェブサイトに係るサイト表示データを前記表示端末機へ送信し、前記表示端末機は、受信したサイト表示データに応じて、状態が変化するオブジェクトを含むサイト画面を表示し、受信したサイト表示データに含まれる前記処理規定データに基づき、オブジェクトの表示に係る時間を計時し、表示されるオブジェクトに対する操作を受け付けた場合、前記処理規定データに基づき、計時した時間を自機の識別データと共に前記サーバ装置へ送信し、前記サーバ装置は、受信した時間の数値に応じて、前記識別データに対応付けるポイントを算出することを特徴とする。
【０００８】
また、本発明に係るポイント算出方法は、自機の識別データを有すると共に操作の受け付けが可能な表示端末機が、ネットワーク上にウェブサイトを設けたサーバ装置へアクセスし、前記サーバ装置が、前記表示端末機に対するポイントを算出するポイント算出方法において、前記サーバ装置は、サイト画面中に表示されるオブジェクトの状態を変化させる処理と、オブジェクトに対する操作を受け付けたときのオブジェクトの状態を変化させる処理の進行度合を特定する処理と、特定した進行度合を送信する処理とを規定した処理規定データを含むウェブサイトに係るサイト表示データを前記表示端末機へ送信し、前記表示端末機は、受信したサイト表示データに応じて、状態が変化するオブジェクトを含むサイト画面を表示し、表示されるオブジェクトに対する操作を受け付けた場合、前記処理規定データに基づき、操作を受け付けたときのオブジェクトの状態を変化させる処理の進行度合を特定し、前記処理規定データに基づき、特定した進行度合を自機の識別データと共に前記サーバ装置へ送信し、前記サーバ装置は、受信した進行度合に応じて、前記識別データに対応付けるポイントを算出することを特徴とする。
【０００９】
さらに、本発明に係るポイント算出方法は、自機の識別データを有すると共に操作の受け付けが可能な表示端末機が、ネットワーク上にウェブサイトを設けたサーバ装置へアクセスし、前記サーバ装置が、前記表示端末機に対するポイントを算出するポイント算出方法において、前記サーバ装置は、サイト画面中に表示されるオブジェクトのサイズを変化させる処理と、オブジェクトに対する操作を受け付けたときのオブジェクトのサイズを特定する処理と、特定したサイズを送信する処理とを規定した処理規定データを含むウェブサイトに係るサイト表示データを前記表示端末機へ送信し、前記表示端末機は、受信したサイト表示データに応じて、サイズが変化するオブジェクトを含むサイト画面を表示し、表示されるオブジェクトに対する操作を受け付けた場合、前記処理規定データに基づき、操作を受け付けたときのオブジェクトのサイズを特定し、前記処理規定データに基づき、特定したサイズを自機の識別データと共に前記サーバ装置へ送信し、前記サーバ装置は、受信したサイズに応じて、前記識別データに対応付けるポイントを算出することを特徴とする。
【００１０】
本発明に係るポイント算出方法は、ネットワーク上にウェブサイトを設けたサーバ装置へ、自機の識別データを有すると共に操作の受け付けが可能な表示端末機がアクセスしてポイントを算出するポイント算出方法において、前記サーバ装置は、サイト画面中に表示されるオブジェクトの状態を変化させる処理と、表示時間を計時する処理と、オブジェクトに対する操作を受け付けた場合、計時した時間に応じたポイントを算出する処理と、算出したポイントを送信する処理とを規定した処理規定データを含むウェブサイトに係るサイト表示データを前記表示端末機へ送信し、前記表示端末機は、受信したサイト表示データに応じて、状態が変化するオブジェクトを含むサイト画面を表示し、受信したサイト表示データに含まれる前記処理規定データに基づき、オブジェクトの表示に係る時間を計時し、表示されるオブジェクトに対する操作を受け付けた場合、前記処理規定データに基づき、計時した時間に応じたポイントを算出し、前記処理規定データに基づき、算出したポイントを自機の識別データと対応付けて前記サーバ装置へ送信することを特徴とする。
【００１１】
また、本発明に係るポイント算出方法は、ネットワーク上にウェブサイトを設けたサーバ装置へ、自機の識別データを有すると共に操作の受け付けが可能な表示端末機がアクセスしてポイントを算出するポイント算出方法において、前記サーバ装置は、サイト画面中に表示されるオブジェクトの状態を変化させる処理と、オブジェクトに対する操作を受け付けたときのオブジェクトの状態を変化させる処理の進行度合を特定する処理と、特定した進行度合に応じたポイントを算出する処理と、算出したポイントを送信する処理とを規定した処理規定データを含むウェブサイトに係るサイト表示データを前記表示端末機へ送信し、前記表示端末機は、受信したサイト表示データに応じて、状態が変化するオブジェクトを含むサイト画面を表示し、表示されるオブジェクトに対する操作を受け付けた場合、前記処理規定データに基づき、操作を受け付けたときのオブジェクトの状態を変化させる処理の進行度合を特定し、前記処理規定データに基づき、特定した進行度合に応じたポイントを算出し、前記処理規定データに基づき、算出したポイントを自機の識別データと対応付けて前記サーバ装置へ送信することを特徴とする。
【００１２】
さらに、本発明に係るポイント算出方法は、ネットワーク上にウェブサイトを設けたサーバ装置へ、自機の識別データを有すると共に操作の受け付けが可能な表示端末機がアクセスしてポイントを算出するポイント算出方法において、前記サーバ装置は、サイト画面中に表示されるオブジェクトのサイズを変化させる処理と、オブジェクトに対する操作を受け付けたときのオブジェクトのサイズを特定する処理と、特定したサイズに応じたポイントを算出する処理と、算出したポイントを送信する処理とを規定した処理規定データを含むウェブサイトに係るサイト表示データを前記表示端末機へ送信し、前記表示端末機は、受信したサイト表示データに応じて、サイズが変化するオブジェクトを含むサイト画面を表示し、表示されるオブジェクトに対する操作を受け付けた場合、前記処理規定データに基づき、操作を受け付けたときのオブジェクトのサイズを特定し、前記処理規定データに基づき、特定したサイズに応じたポイントを算出し、前記処理規定データに基づき、算出したポイントを自機の識別データと対応付けて前記サーバ装置へ送信することを特徴とする。
【００１３】
本発明に係るポイント算出システムは、自機の識別データを有すると共に操作の受け付けが可能な表示端末機が、ネットワーク上にウェブサイトを設けたサーバ装置へアクセスして、前記サーバ装置が、前記表示端末機に対するポイントを算出するポイント算出システムにおいて、前記サーバ装置は、サイト画面中に表示されるオブジェクトの状態を変化させる処理と、変化に係る度合を特定する処理と、オブジェクトに対する操作を受け付けた場合、特定した度合を送信する処理とを規定した処理規定データを含むウェブサイトに係るサイト表示データを前記表示端末機へ送信する手段を備え、前記表示端末機は、受信したサイト表示データに応じて、状態が変化するオブジェクトを含むサイト画面を表示する手段と、受信したサイト表示データに含まれる前記処理規定データに基づき、オブジェクトの変化に係る度合を特定する手段と、表示されるオブジェクトに対する操作を受け付けた場合、前記処理規定データに基づき、特定した度合を自機の識別データと共に前記サーバ装置へ送信する処理を行う手段とを備え、前記サーバ装置は、受信した度合に応じて、前記識別データに対応付けるポイントを算出する手段を備えることを特徴とする。
【００１４】
また、本発明に係るコンピュータプログラムは、ネットワーク上にウェブサイトを設けた外部サーバ装置へアクセスする通信手段と、自己の識別データを記憶する手段と、操作の受け付けを行う操作受付手段とを備えるコンピュータに、アクセスに応じて表示するサイト画面中で状態が変化するオブジェクトに係る処理を行わせるためのコンピュータプログラムにおいて、コンピュータを、表示されるサイト画面中のオブジェクトの変化に係る度合を特定する処理を行う手段と、表示されるオブジェクトに対する操作を前記操作受付手段で受け付けた場合、特定した度合を自己の識別データと共にアクセス先へ、前記通信手段で送信する処理を行う手段として機能させることを特徴とする。
【００１５】
さらに、本発明に係るコンピュータプログラムは、ネットワーク上にウェブサイトを設けた外部サーバ装置へアクセスする通信手段と、自己の識別データを記憶する手段と、操作の受け付けを行う操作受付手段とを備えるコンピュータに、アクセスに応じて表示するサイト画面中で状態が変化するオブジェクトに係る処理を行わせるためのコンピュータプログラムにおいて、コンピュータを、表示されるサイト画面中のオブジェクトの変化に係る度合を特定する処理を行う手段と、表示されるオブジェクトに対する操作を前記操作受付手段で受け付けた場合、特定した度合に応じたポイントを算出する処理を行う手段と、算出したポイントを自己の識別データと対応付けてアクセス先へ、前記通信手段で送信する処理を行う手段として機能させることを特徴とする。
【００１６】
本発明にあっては、ユーザが表示端末機で、状態が変化するオブジェクトを含むサイト画面を閲覧しているときに、変化に係る度合を特定する処理としてオブジェクトの表示に係る時間が計時されると共に、ユーザがオブジェクトに対してクリック等の操作を行うと、特定した度合に相当する計時した時間と、識別データとをサーバ装置へ送信し、サーバ装置は受信した計時時間に応じたポイントを識別データに対応付けて算出するので、自動でユーザの表示端末機ごとのポイントを算出して管理できるようになる。その結果、ユーザは、ポイントを獲得するために、状態が変化するオブジェクトをよく観察して、クリックするタイミングを窺うようになり、オブジェクトに対してユーザの注意を惹き付けることができる。なお、サーバ装置は、計時時間に応じたポイントの算出に所定の算出式、換算テーブル等を利用することが好適である。
【００１７】
また、ウェブサイトに係るサイト表示データに含まれて、各種処理を規定する処理規定データには、ＪＡＶＡ（登録商標）プログラム（例えば、ＪＡＶＡ（登録商標）アプレット）のようなサイト表示データに応じたＨＴＭＬ（Hypertext Markup Language）ファイルにプラグインされるもの等が該当する。また、その他の種類のプラグインソフト、ダイナミックＨＴＭＬ、さらにはＦＬＡＳＨ（マクロメディア社）等のブラウザへのアドインソフト等も、処理規定データとして利用可能である。
【００１８】
なお、算出されるポイントは、ネットワーク上で特典等と引き替えられるようにすることが好ましく、例えば、ユーザが得たポイントに応じて、サーバ装置から特別コンテンツをユーザの表示通信機へ配信するようなサービスが考えられる。また、ポイントに関しては、蓄積されたポイント数に応じてユーザに特典等を付与することも考えられ、その場合は、表示通信機の識別データごとに過去に付与した特典等の種類を管理し、ユーザに付与した特典等の履歴に応じた種類の特典等を、現在の蓄積ポイントで付与できるリストとして提示すれば、ユーザの嗜好に合致した特典等の付与を行える。
【００１９】
また、本発明にあっては、ユーザが表示端末機で、状態が変化するオブジェクトを含むサイト画面を閲覧しているときに、オブジェクトを変化させる処理の進行度合が、ユーザのオブジェクトに対するクリック等の操作に応じて特定され、特定した進行度合および識別データがサーバ装置へ送信され、サーバ装置は受信した進行度合に応じたポイントを識別データに対応付けて算出するので、自動でユーザの表示端末機ごとのポイントの算出および管理を行える。すなわち、オブジェクトは、処理規定データに基づく処理により変化していくので、処理規定データ上で、変化に係る処理がどの程度進行しているかを特定すれば、表示されるオブジェクトの変化の状況も分かるため、操作が受け付けた時期がオブジェクトのどのような変化状況であるかを見極めて、ユーザがどの程度、サイト画面（オブジェクト）を表示していたかを判断可能となる。よって、その判断した内容に基づき、サーバ装置がポイントを算出するので、オブジェクトに対するユーザの閲覧程度に応じたポイントの算出が可能になる。
【００２０】
さらに、本発明にあっては、ユーザが表示端末機で、サイズが変化するオブジェクトを含むサイト画面を閲覧しているときに、オブジェクトのサイズが、ユーザによるオブジェクトに対するクリック等の操作に応じて特定されると、特定したサイズおよび識別データがサーバ装置へ送信され、サーバ装置は受信したサイズに応じたポイントを識別データに対応付けて算出するので、自動でユーザの表示端末機ごとのポイントを算出して管理できるようになる。その結果、ユーザはポイントを獲得するために、サイズが変化するオブジェクトをよく観るようになり、オブジェクトを見せたいと云うサイト提供側の思惑を満足させることができる。なお、サイト提供側としては、オブジェクトのサイズが大きい方が、多くの情報をユーザに伝えることができるため、サイズの大きいときにユーザから操作を受け付ければ、ユーザが得られるポイントを高くするような算出基準を適用することが好ましい。
【００２１】
また、本発明にあっては、ユーザが表示端末機で、オブジェクトの表示に係る時間に応じてポイントを算出するので、アクセス先のサーバ装置の処理負担が低減される。また、ユーザが表示端末機で、表示されるオブジェクトの変化状態に応じた処理の進行度合に基づきポイントを算出することも可能であり、この場合もアクセス先のサーバ装置の処理負担が低減されることになる。さらに、ユーザが表示端末機で、表示されるオブジェクトの変化するサイズに応じてポイントを算出してもよく、この場合も、アクセス先のサーバ装置の処理負担が低減される。以上のように、サーバ装置は、アクセスに応じたサイト表示データの送信および識別データごとのポイント管理に専念でき、ポイントに応じた特典付与などの処理も行いやすくなる。
【発明の効果】
【００２２】
本発明にあっては、ユーザの表示端末機で、サイト画面中のオブジェクトの表示に係る時間が計時され、オブジェクトに対してクリック等の操作が行われると、計時した時間および識別データがサーバ装置へ送信され、サーバ装置は受信した計時時間に応じたポイントを識別データに対応付けて算出するので、ポイント獲得を利用してサイト画面を長くユーザに見せることができ、オブジェクトに係る情報の訴求度を向上できると共に、ポイントに対するユーザへの特典付与なども容易に行える。
【００２３】
また、本発明にあっては、ユーザの表示端末機で、表示するオブジェクトを変化させる処理の進行度合が、オブジェクトに対するクリック等の操作に応じて特定され、特定された進行度合および識別データがサーバ装置へ送信され、サーバ装置は受信した進行度合に応じたポイントを識別データに対応付けて算出するので、ポイント獲得と云う要素を利用して、変化するオブジェクトを含むサイト画面をユーザが観ようとする動機付けを提供でき、サイト画面をユーザが閲覧する時間を長くできる。
【００２４】
さらに、本発明にあっては、ユーザの表示端末機で、サイズが変化するオブジェクトに対するクリック等の操作に応じて、そのときのオブジェクトのサイズが特定され、特定されたサイズおよび識別データがサーバ装置へ送信され、サーバ装置は受信したサイズに応じたポイントを識別データに対応付けて算出するので、ポイント獲得と云う要素を利用して、サイズが変化するオブジェクトを含むサイト画面であっても、サイト画面をユーザに長く見せることができる。
【００２５】
本発明にあっては、ユーザの表示端末機で、オブジェクトの表示に係る時間に応じてポイントを算出するので、アクセス先のサーバ装置の処理負担を低減でき、ポイント算出に対して必要な処理の分担を適切に行った上で、サイト画面をユーザに長い間、見せやすくできる。
また、本発明にあっては、ユーザの表示端末機で、表示されるオブジェクトの変化状態に応じた処理の進行度合に基づきポイントを算出するので、アクセス先のサーバ装置の処理負担を低減した上で、ユーザがサイト画面の長く観るように仕向けることができる。
さらに、本発明にあっては、ユーザの表示端末機で、表示されるオブジェクトの変化するサイズに応じてポイントを算出するので、アクセス先のサーバ装置の処理負担を低減できると共に、サイズが変化するオブジェクトをサイト画面が含んでいても、ユーザに観ると云う気持ちを起こさせることができる。
【発明を実施するための最良の形態】
【００２６】
図１は、本発明の第１実施形態に係るポイント算出システム１の全体的な構成を示している。ポイント算出システム１は、サーバ装置１０がネットワークＮＷ上に携帯電話機向けのウェブサイトを設けており、このウェブサイトのトップページは、サイズが変化するバナー広告を含み、ユーザが携帯電話機３（表示端末機に相当）でサーバ装置１０へアクセスしてトップページを表示した状態でバナー広告に対してクリック操作を行うと、クリック操作のタイミングに応じてポイントを獲得し、そのポイントに応じた特典を取得できるようにしたものである。以下、ポイント算出システム１を構成する携帯電話機３およびサーバ装置１０に係る構成、ならびにポイント算出に係る処理手順について説明する。
【００２７】
図２は、ユーザが使用する携帯電話機３の本発明に関連する内部構成を示したブロック図である。携帯電話機３は、各種制御処理を行うＣＰＵ３ａに、通信部３ｂ、ＲＡＭ３ｃ、ＲＯＭ３ｄ、表示用インタフェース３ｅ、操作部インタフェース３ｆ、音出力処理部３ｇ、音入力処理部３ｉおよび記憶部３ｋを内部バス９で接続した構成になっている。なお、本実施形態の携帯電話機３は、各種処理を規定したプログラムデータのような処理規定データに基づきＣＰＵ３ａが様々な処理を行うことが可能であるため、一種のコンピュータとして機能する。
【００２８】
通信部３ｂは、図１に示す多数の中継基地局２Ａ、２Ｂ・・・と無線通信を行い、広域のネットワークＮＷに接続される様々な機器との間でデータ等の送受信を行う通信手段に相当する。本実施形態では、携帯電話機３が通信部３ｂを用いて図１のサーバ装置１０にアクセスし、サーバ装置１０が設けるウェブサイトへのアクセス要求、各種データの送信およびウェブサイトの各種ページを構成するサイト表示データ等の受信などを行う。
【００２９】
ＲＡＭ３ｃはＣＰＵ３ａの処理に従うデータ及びフォルダ等を一時的に記憶し、本実施形態では、通信部３ｂで受信したサイト表示データ等を一時的に記憶することを行う。また、ＲＯＭ３ｄは各種データ等を記憶する手段に相当し、ＣＰＵ３ａが行う基本的な処理内容を規定したプログラム等を予め記憶すると共に、ウェブサイトへのアクセス要求の際に送信される識別データ６（携帯電話機３を識別するＩＤ）を予め記憶している。
【００３０】
また、表示用インタフェース３ｅは、携帯電話機３の筐体外面に配置される表示部４と接続され、サーバ装置１０から送信される各種サイト表示データに対する表示処理を行い、表示部４に図４（ａ）等に示すウェブページ（トップページ４０）のサイト画面等を表示する。操作部インタフェース３ｆは、携帯電話機３の筐体表面に設けられた上下左右キー、決定キーおよび数字キー等の多数の操作キーからなる操作部５（操作受付手段に相当）と接続されており、操作部５でユーザから受け付けた操作内容をＣＰＵ３ａへ伝える。なお、操作部５では、表示部４で表示したサイト画面中に含まれる各種オブジェクト（例えば、バナー広告）に対して、上下左右キーの押圧によるカーソルを合わせる操作（選択対象を選ぶ操作に相当）、決定キーの押圧によるクリック操作（選択操作に相当）などを受付可能になっている。
【００３１】
音出力処理部３ｇは、スピーカ３ｈを接続しており、通話時の音声出力、楽曲データの音声出力に係る処理を行ってスピーカ３ｈから音声を出力するものである。また、音入力処理部３ｉはマイク３ｊと接続されており、通話時のユーザが話す音声の入力を行う。
【００３２】
さらに記憶部３ｋは不揮発性メモリ等で構成されており、端末プログラム７、ブラウザプログラム８等を記憶している。記憶部３ｋに記憶される端末プログラム７は、携帯電話機３に係る各種基本機能を実現するために、ＣＰＵ３ａを各種手段として作動させる制御処理内容を規定した基本システムプログラムであり、携帯電話機３の通話および通信に係る制御処理、アドレス帳登録処理等を行う。また、ブラウザプログラム８は、携帯電話機３がウェブサイトを設けている各種サーバ装置へアクセスした場合に、サーバ装置から送信されてくるサイト表示データ（ＨＴＭＬファイル形式等のデータ）に応じたウェブページのサイト画面を表示部４に表示するための処理を行うプログラムである。
【００３３】
本実施形態のブラウザプログラム８は、サーバ装置から送信されたサイト表示データにＪＡＶＡ（登録商標）アプレット、ＪＡＶＡ（登録商標）プラグイン等のプログラム処理データ、またはＦＬＡＳＨなどの動画再生処理データ等が付加されていると、それらの処理データの規定内容に応じた処理（例えば、変化するオブジェクトの表示処理など）をＣＰＵ３ａに行わせることに対応しており、各種処理データに応じた処理を行って表示部４に動的なサイト画面を表示可能にしている。さらには、サイト表示データ自体が、ダイナミックＨＴＭＬなどのように、一定の処理を規定した内容（データ）を含んでいる場合も、ブラウザプログラム８は、規定された処理をＣＰＵ３ａに行わせることを可能にしている。なお、ＣＰＵ３ａはクロック機能（計時機能）を内蔵しており、プログラムの規定内容（データ）に従って、所定の時期からの計時（時間のカウント）も行うことができる。
【００３４】
一方、図３は、サーバ装置１０の本発明に関連する主要な内部構成を示している。サーバ装置１０には汎用のサーバコンピュータを適用しており、ウェブサイトのコンテンツ提供サービスの運営を行う事業体がサーバ装置１０を管理している。サーバ装置１０は、様々な制御処理を行うＭＰＵ１１を、内部バス１０ａを介して通信インタフェース１２、ＲＡＭ１３、ＲＯＭ１４、及びハードディスク装置１５と接続した構成になっている。
【００３５】
通信インタフェース１２は、ネットワークＮＷを経由して、携帯電話機からのアクセスを受けて各種データの送受信を行う手段に相当し、例えば、携帯電話機からのアクセス要求を受信して、ウェブサイトに係るサイトページを表示するためのサイト表示データを送信する処理等を行う。また、ＲＡＭ１３は、ＭＰＵ１１の処理に伴って生じるデータ及びフォルダ等を一時的に記憶し、ＲＯＭ１４は、ＭＰＵ１１が行う基本的な処理内容を規定したプログラムを予め記憶している。
【００３６】
ハードディスク装置１５は、サーバ装置１０を作動させる上で、必要な各種処理内容を規定したシステムプログラム２０およびネットワーク上に設けたウェブサイトに関連した処理を規定したサーバプログラム２１を記憶する。さらに、ハードディスク装置１５は、ウェブサイトの中身に係るウェブサイトコンテンツデータ３０、後述するポイント算出処理で利用するポイントテーブル２２、ポイントに応じた特典としてプレゼントするコンテンツの特定処理で利用する特典テーブル２３、プレゼント用のコンテンツを格納した特典データベース２４等も記憶している。なお、ウェブサイトコンテンツデータ３０は、サーバ装置１０がネットワークＮＷ上に設けるウェブサイトを構成する複数のサイトページのページ内容（ページコンテンツ）を表すサイト表示データ３１、３２・・・の集合体になっている。
【００３７】
図４（ａ）は、サーバ装置１０が設けるウェブサイトを構成するトップページ４０（サイトページ）を携帯電話機３の表示部４で表示した状態を示している。本実施形態のサーバ装置１０が設けるウェブサイトは、各種情報（ニュース、天気、スポーツ、音楽、映画等）を総合的に提供する総合情報サイトになっている。そのため、ウェブサイトのトップページ４０は、各種情報（ニュース、天気、スポーツ、音楽、映画等）を詳しく表示するために、各ウェブサイトへのリンク付けが行われた項目を有するメニュー欄４０ａを有している。また、トップページ４０には、コンテンツとは関係しない広告も提示されており、具体的にはトップページ４０の右側に楽曲データ配信サイトのバナー広告４１が配置されている。
【００３８】
このバナー広告４１は、枠４１ａのサイズが変化するようになっており、例えば、携帯電話機３の表示部４でトップページ４０が表示された状態で、操作部５の上下左右キーでバナー広告４１にカーソルを合わせると（バナー広告４１に対してクリック操作ができる状態にすると）、図４（ｂ）（ｃ）に示すように、広告枠４１ａが図中の白矢印方向へ拡大し、メニュー欄４０ａを被うようになる一方、バナー広告４１の広告内容（情報）が増大する。
【００３９】
図４（ｂ）（ｃ）に示すようにバナー広告４１の枠４１ａのサイズが大きくなると、広告主側はユーザに見せる広告内容を豊富にできると云うメリットがあるが、ユーザ側にしてみると、バナー広告４１によりメニュー欄４０ａが隠されてメニュー内容の確認、メニュー操作が妨げられると云う一面があり、全てのユーザにバナー広告４１の枠４１ａを大きくする変化は受け入れられにくい。そのため、本実施形態では、バナー広告４１のサイズ変形に合わせてクリック操作を行ったユーザに対しては、特典（楽曲データ、画像データ等のコンテンツ）をプレゼントする内容になっており、広告主側の意向に配慮してバナー広告４１のサイズが大きい時点でクリック操作を行うほど、プレゼントされる特典のグレードが上がるようになっている。
【００４０】
図５は、図４（ａ）〜（ｃ）のトップページ４０をアクセス元の表示通信機（携帯電話機）で表示させるためのサイト表示データ３１の概略的な構造を示している。サイト表示データ３１は、一般的なＨＴＭＬファイルにＪＡＶＡ（登録商標）プラグインが付加した構造になっており、トップページ４０中のメニュー欄４０ａ等を含む基本的なサイト画面を表示するためのデータがページデータ３１ａに相当し、このページデータ３１ａに、トップページ４０のサイト画面中に含まれるバナー広告４１の枠４１ａのサイズ変化に係る処理およびポイント算出に関連した各種処理を規定したプラグインソフト３１ｂ（処理規定データに相当）が付随している。
【００４１】
プラグインソフト３１ｂは、本実施形態では、ＪＡＶＡ（登録商標）プラグインによるものを適用しており、アクセス元の携帯電話機３でバナー広告４１が表示された状態で、バナー広告４１にカーソルを合わせる操作が行われると、図４（ｂ）（ｃ）に示すように、オブジェクトの状態を変化させる処理として、枠４１ａを拡大する表示処理を表示元の機器である携帯電話機３のＣＰＵ３ａに行わせることを規定している。なお、プラグインソフト３１ｂは、クリック操作が行わなければ、バナー広告４１の枠４１ａが表示部４で表示できる幅まで拡大し、それからは図４（ａ）に示す状態まで縮小し、以降は上述した拡大および縮小を繰り返すことを規定している。
【００４２】
また、プラグインソフト３１ｂは、バナー広告４１にカーソルが合わせられると、ＣＰＵ３ａにサイト画面の表示に係る計時を開始させることも規定している。さらに、プラグインソフト３１ｂは、バナー広告４１にカーソルが合わせられた状態でクリック操作が行われると、それまでに計時した時間を特定（カウントアップ）し（変化に係る度合を特定する処理に相当）、計時した時間（特定した度合に相当）をＲＯＭ３ｄに記憶されている識別データ６と共にアクセス先のサーバ装置１０へ通信部３ｂを用いて送信する処理をＣＰＵ３ａに行わせることも規定している。
【００４３】
図３のハードディスク装置１５に記憶されるサーバプログラム２１は、携帯電話機３からのアクセスに応じて、最初にトップページ４０に応じたサイト表示データ３１をアクセス元の携帯電話機３へ通信インタフェース１２を通じて送信する制御をＭＰＵ１１に行わせることを規定しており、その後は、携帯電話機３で選択された事項に応じたサイト表示データを随時ウェブサイトコンテンツデータ３０から抽出して送信する制御をＭＰＵ１１に行わせることを規定している。
【００４４】
また、サーバプログラム２１は、トップページ４０に係るサイト表示データ３１の送信に応じて、アクセス元の携帯電話機３から計時時間および識別データ６が送信されてくると、その識別データ６（携帯電話機３と同意）に対応付けるポイントを算出する処理をＭＰＵ１１が行うことを規定している。具体的には、図６（ａ）に示す計時時間ごとにポイントを対応させたポイントテーブル２２を参照して、送信されてきた計時時間に対応するポイントをＭＰＵ１１に特定させてポイントを算出させることをサーバプログラム２１は規定している。なお、ポイントテーブル２２は、計時時間が長いほど高い数値のポイントを対応付けており、このことから、図４（ａ）〜（ｃ）に示すバナー広告４１を拡大させてから長く観たユーザほど高いポイントが得られることになる。
【００４５】
さらに、サーバプログラム２１は、ポイントを算出すると、次に図６（ｂ）に示すポイントごとに特典である各種コンテンツ（コンテンツＡ〜Ｅ等）を対応させた特典テーブル２３を参照し、ポイントに応じたコンテンツを識別データ６に対応付けて特定する処理をＭＰＵ１１に行わせることを規定している。なお、特典テーブル２３は、ポイントが高いほど、価値の高いコンテンツが対応付けられており、本実施形態では、コンテンツＡはサビ部分だけで音質の普通の楽曲データであるが、コンテンツＢはサビ部分だけの高音質の楽曲データであり、コンテンツＣは普通音質のフル楽曲データであり、コンテンツＤは高音質のフル楽曲データになっている。
【００４６】
最後に、サーバプログラム２１は、特定したコンテンツを特典データベース２４から抽出し、特定したコンテンツに対応付けた識別データ６に係るアクセス元の携帯電話機３へ送信し、バナー広告４１に対する操作を行ったユーザに対するプレゼントを送ることを規定している。
【００４７】
図７は、上述したポイント算出システム１に係るポイント算出処理の手順（ポイント算出方法の内容）を整理した第１フローチャートを示している。以下、この第１フローチャートに基づき、第１実施形態に係るポイント算出方法の一連の処理手順を説明する。
【００４８】
先ず、ユーザは携帯電話機３を用いて、図４（ａ）に示すようなウェブサイトを設けているサーバ装置１０へアクセスする（Ｓ１）。サーバ装置１０は、アクセスに応じてトップページ４０に応じたサイト表示データ３１を携帯電話機３へ送信する（Ｓ２）。携帯電話機３は、サイト表示データ３１を受信してトップページ４０のサイト画面を表示部４に表示し（Ｓ３）、トップページ４０中のバナー広告４１へカーソルが移動して、バナー広告４１に合わせられたか否かを判断する（Ｓ４）。
【００４９】
カーソルがバナー広告４１へ合わせられていない場合（Ｓ４：ＮＯ）、本発明に関連する処理では、カーソルの移動待ちの状態となり、また、カーソルがバナー広告４１へ合わせられた場合（Ｓ４：ＹＥＳ）、携帯電話機３は、図４（ｂ）（ｃ）に示すように、バナー広告４１の枠４１ａのサイズ変更を行うと共に（Ｓ５）、サイズ変更が行われるバナー広告４１の表示に対する計時を開始する（Ｓ６）。それから、携帯電話機３は、カーソルが合わせられたバナー広告４１に対して、ユーザからクリック操作を受け付けたか否かを判断する（Ｓ７）。
【００５０】
クリック操作を受け付けない場合（Ｓ７：ＮＯ）、本発明に関連する処理では、クリック操作の受け付け待ちとなり、クリック操作を受け付けた場合（Ｓ７：ＹＥＳ）、携帯電話機３は、クリック操作の受け付けまでに計時した時間を特定して、その計時時間を、ＲＯＭ６から読み出した識別データ６と共にサーバ装置１０へ送信する（Ｓ８）。
【００５１】
サーバ装置１０は、計時時間および識別データ６を受信すると、図６（ａ）のポイントテーブル２２を参照し、受信した計時時間の数値に応じたポイントを識別データ６に対応付けて算出し（Ｓ９）、算出したポイントに応じたコンテンツを図６（ｂ）の特典テーブル２３を参照して特定する（Ｓ１０）。そして、最後に、サーバ装置１０は特定したコンテンツを特典データベース２４から読み出して、携帯電話機３へ送信する（Ｓ１１）。
【００５２】
このように第１実施形態においては、サイズが変化するバナー広告４１を観れば観るほど、高価値の特典をユーザが取得できるので、バナー広告４１を、あらゆるユーザに長い間、見せることが従来に比べて容易になり、広告主の満足度を向上することができる。
【００５３】
なお、第１実施形態に係るポイント算出システム１は、上述した内容以外にも種々の変形例が考えられる。例えば、サーバ装置１０へアクセスする表示通信機には、携帯電話機３以外にも通信機能を有する各種表示端末が適用可能であり、コンピュータおよびＰＤＡ（いわゆるスマートフォンなども含む）に加えて、通信機能を具備するカラオケ装置等も適用可能であり、このようにアクセス元の機器種類を広げる場合は、サーバ装置１０が設けるウェブサイトも、携帯電話機向けに限定したものではなく、各種機器で表示可能なものにする必要がある。
【００５４】
また、上述した説明では、１回のクリック操作に対して算出したポイントごとに、特典（コンテンツ）をプレゼントするようにしていたが、サーバ装置１０で識別データ６ごとにポイントを蓄積し、ポイントが一定の基準値を上回った場合にのみ、対応付けた識別データ６の携帯電話機３を有するユーザへ特典を付与するようにしてもよい。さらに、このようにポイントを蓄積する場合は、識別データ６により、そのユーザが以前にどのようなコンテンツ等を取得したかの情報を収集しておき、そのユーザの嗜好傾向に基づき付与する特典の内容（種類）を特定すれば、さらにユーザがバナー広告の閲覧に興味を示すようになることが予想される。
【００５５】
一方、図７に示す第１フローチャートでは、図５のプラグインソフト３１ｂが規定する内容に基づいて、バナー広告４１にカーソルが合ってからの時間の計時を開始するようにしていたが、図４（ａ）に示すバナー広告４１を含むトップページ４０の表示に伴って時間の計時を開始する処理を規定してもよい。この場合は、図７の第１フローチャートで、バナー広告にカーソルを移動させたか否かの判断処理（Ｓ４）が省略され、トップページ４０の表示と共に、自動的にバナー広告４１の枠サイズの拡大を開始することをプラグインソフト３１ｂが規定することになる。
【００５６】
また、バナー広告４１の枠サイズの変化は、表示した時間で判断する以外に、他の要素を用いて判断することも可能である。例えば、処理規定データに相当するプラグインソフト３１ｂが、バナー広告３１の枠サイズの変化を規定する処理は、図８（ａ）に示すソフトデータ４２のような内容になっているので、このソフトデータ４２上における処理の進行位置に基づき、バナー広告４１の枠サイズの変化を判断してもよい。
【００５７】
ソフトデータ４２は、行Ｌ１００の内容から、バナー広告４１の枠サイズの変化を開始することを規定しており、枠サイズを順次拡大していく処理は、行Ｌ１０１、Ｌ１０２、Ｌ１０３、Ｌ１０４・・・と続いていく。よって、プラグインソフト３１ｂの規定処理により、バナー広告４１の枠サイズを変化させることを開始してからは、ソフトデータ４２の処理が何処まで進行しているかを検出（進行度合を検出）し、クリック操作が行われた時点における処理が進行した行の位置（進行度合）を特定することで、バナー広告４１の変化状態を判断することができる。
【００５８】
この場合は、プラグインソフト３１ｂは、特定した行の位置を識別データ６と共にサーバ装置１０へ送信することを規定することになる。さらに、サーバ装置１０は、図６（ａ）に示すようなポイントテーブル２２ではなく、図８（ｂ）に示すように行の位置（処理位置）にポイントを対応させた内容のポイントテーブル２６をハードディスク装置１５に記憶し、送信されてきた行の位置に応じたポイント（識別データ６に対応付けるポイント）を、ポイントテーブル２６を参照して算出することになる。このように行の位置でポイント算出を行う処理は、規定処理の進行に応じてポイントの算出元になる要素を特定できるメリットがある。なお、この行の位置でポイント算出を行う場合も、上述したようにバナー広告４１にカーソルを移動させずに、トップページ４０の表示に合わせてバナー広告４１のサイズ枠を自動的に変化させることに対しても適用可能である。
【００５９】
さらに、バナー広告４１の枠サイズの変化は、表示される枠サイズを直接的に検出して判断することも可能である。例えば、図４（ｂ）（ｃ）に示すように、携帯電話機３がバナー広告４１の枠４１ａを拡大して表示する処理を行う際、枠４１ａの左上角４１ｂが表示部４の何れの画素位置にいるか否かを検出して行うようにしてもよい。この場合、プラグインソフト３１ｂは、バナー広告４１の枠サイズの変更処理を開始した後にクリック操作を行われた時点で、枠４１の左上角４１ｂが位置する表示部４の水平画素数をＣＰＵ３ａが特定する処理を行うことを規定することになり、そして特定した位置（水平画素数）を識別データ６と共にサーバ装置１０へ送信することも規定することになる。
【００６０】
また、この場合は、サーバ装置１０がハードディスク装置１５で記憶するポイントテーブルの中身は、図６（ａ）の内容ではなく、水平画素数にポイントを対応させた内容になる。具体的には、図４（ａ）中、左上角が左の方へ位置する水平画素数になるほど、ポイントが高くなる内容のポイントテーブルを用いる。よって、サーバ装置１０は、送信されてきた水平画素数に応じたポイント（識別データ６に対応付けるポイント）を、上述した内容のポイントテーブルを参照して算出することになる。このように、バナー広告４１の枠サイズを直接的に検出することで、ダイレクトにユーザが観ているバナー広告４１のサイズ状態が判明し、確実にポイントの算出元になる要素を特定できるメリットがある。なお、この枠サイズを直接的に検出する場合でも、上述したようにバナー広告４１にカーソルを移動させずに、トップページ４０の表示に合わせてバナー広告４１のサイズ枠を自動的に変化させることにも適用可能である。
【００６１】
さらに、サーバ装置１０が設けるウェブサイトのサイトページ（サイト画面）中に含ませるオブジェクトは、図４（ａ）〜（ｃ）に示すようなバナー広告４１に限定されるものではなく、図９（ａ）（ｂ）に示す動画４５、４５′、または図１０（ａ）（ｂ）に示すアイコン画像４７をオブジェクトとして適用することも可能である。
【００６２】
図９（ａ）に示す動画４５は、サイトページ４４に含まれており、動画４５の表示欄４５ａにカーソルが合わさると表示部４で動画の再生が開始され、表示される内容が変化（オブジェクト状態の変化と同意）するものであり、所定の再生時期で動画４５の表示欄４５ａの欄内がクリックされると、図７に示す第１フローチャートと同様な処理が行われ、携帯電話機３でクリック操作までの計時が行われて、計時時間が識別データ６と共にサーバ装置１０へ送信され、サーバ装置１０でポイント算出、コンテンツ特定等が行われる。なお、図９（ａ）に示す動画４５′は、再生処理が進行して表示される内容（フレーム画像）が切り替わった状態を示している。
【００６３】
よって、サイト画面上で再生可能な動画４５、４５′を、広告に関連する内容にすれば、バナー広告とは異なる形態で長時間、ユーザに見せやすい広告を提示でき、広告効率の高い媒体として活用できる。なお、オブジェクトをサイト画面上で再生可能な動画４５にする場合は、図５に示すサイト表示データ３１のページデータ３１ａ中に動画ファイルをリンク付けると共に、プラグインソフト３１ｂで表示欄４５ａにカーソルが合うと動画再生を開始すると共に計時も開示する処理を規定することになる。なお、動画４５の再生処理を行う場合には、プラグインソフト３１ｂ等にはＦＬＡＳＨ等の動画再生に適した処理規程データを適用することが好適である。
【００６４】
また、オブジェクトに動画４５を用いる場合でも、上述したバナー広告４１に関するときと同様に、サイト画面（サイトページ４４）を携帯電話機３の表示部４で表示すると、自動的に動画４５の再生を開始することも可能である。さらに、オブジェクトに動画４５を用いる場合でも、ポイントの算出要素としては、動画の再生を計時する以外に、クリック操作が行われた際における動画の再生処理を規定するプラグインソフト３１ｂの進行度合、またはクリック操作が行われた際の動画ファイルの再生箇所を適用することが可能であり、これらの場合は、サーバ装置１０がハードディスク装置１５に記憶するポイントテーブルの内容を、バナー広告４１の場合で説明した場合と同様に、適用する要素に応じた内容のポイントテーブルを用いることになる。
【００６５】
さらに、図１０（ａ）（ｂ）に示すように、サイズが変化しないバナー広告４８を含むサイトページ４６（サイト画面）上を移動するアイコン画像４７（車を表したアイコン）をオブジェクトにした場合でも、第１実施形態に係る処理内容を適用することが可能である。このようなサイトページ４６は一般に、動き回るアイコン画像４７にカーソルを合わせてクリック操作をさせると云うゲーム的な要素を導入することで、バナー広告４８を含むサイトページ４６の表示時間を結果として長くすることを狙っており、上記と同様にクリック操作までの時間を計時して、ポイント算出等の処理を行うことができる。なお、図１０（ａ）（ｂ）に示す場合では、アイコン画像４７が動き回ることが、オブジェクトの状態が変化することに相当する。
【００６６】
アイコン画像４７をオブジェクトに用いた場合、図５のサイト表示データ３１は、ページデータ３１ａがサイトページ４６を表示するためのデータに相当し、プラグインソフト３１ｂで、アイコン画像４７を移動させることを規定することになる。具体的には、アイコン画像４７にカーソルが合わさると、アイコン画像４７が移動を開始すると共に、クリック操作を受け付けるまでの時間を計時し、計時した時間を識別データ６と共に、サーバ装置１０へ送信することをプラグインソフト３１ｂが規定することになる。
【００６７】
なお、オブジェクトにアイコン画像４７を用いる場合でも、上述したバナー広告４１に関するときと同様に、サイト画面（サイトページ４６）を携帯電話機３の表示部４で表示すると、自動的にアイコン画像４７が動き始めるようにすることが可能である。さらに、オブジェクトにアイコン画像４７を用いる場合でも、ポイントの算出要素として、クリック操作が行われた際におけるアイコン画像４７の移動処理を規定するプラグインソフト３１ｂの進行度合、またはクリック操作が行われた際のアイコン画像４７の表示画面４上の位置を適用することが可能である。これらの場合は、サーバ装置１０がハードディスク装置１５に記憶するポイントテーブルの内容を、バナー広告４１の場合で説明した場合と同様に、適用する要素に応じた内容のポイントテーブルを用いることになる。また、アイコン画像４７には、各種静止画をアイコン状の画像として用いることができる。
【００６８】
図１１は、本発明の第２実施形態に係るポイント算出方法の処理手順を示す第２フローチャートである。本発明の第２実施形態は、ハード的な構成（ポイント算出システムに係る構成）は基本的に第１実施形態と同様にしているが、ポイントの算出処理をサーバ装置ではなくアクセス元の表示通信機（例えば、携帯電話機）で行うことを特徴にしている。なお、以下の説明では、第２実施形態に係るハード的な構成が基本的に第１実施形態と同様であるため、図１等に示す構成（携帯電話機３、サーバ装置１０等）および第１実施形態と同等の符号を用いている。
【００６９】
図１２は、ネットワーク上に図４（ａ）のようなトップページ４０等で構成されるウェブサイトへ設けたサーバ装置１０へ携帯電話機３がアクセスした場合に、携帯電話機３へ送られてくるサイト表示データ６０の概略的な構造を示している。サイト表示データ６０は、図５に示す第１実施形態のサイト表示データ３１に比べると、プラグインソフト６０ｂの中にポイントテーブル６０ｃを含んでいることが特徴であり、ページデータ６０ａは、基本的に図５に示すページデータ３１ａと同等である。
【００７０】
また、プラグインソフト６０ｂに含まれるポイントテーブル６０ｃは、図６（ａ）に示すポイントテーブル２２と同等な内容である。プラグインソフト６０ｂが規定する処理内容は、第１実施形態のプラグインソフト３０ｂが規定する内容に対して、クリック操作を受け付けた場合、クリック操作までの時間を計時して計時時間を特定する処理までは同様であるが、その後に規定する処理内容が相違している。
【００７１】
即ち、プラグインソフト６０ｂは、クリック操作の受け付けに伴って、計時時間を特定すると、その特定した計時時間に応じたポイントを、ポイントテーブル６０ｃを参照してＣＰＵ３ａに算出させる処理を規定している。さらに、プラグインソフト６０ｂは、算出したポイントを、ＲＯＭ３ｄに記憶されている識別データ６と共にアクセス先のサーバ装置１０へ通信部３ｂを用いて送信する処理をＣＰＵ３ａに行わせることも規定している。
【００７２】
一方、第２実施形態に係るサーバ装置１０が、第１実施形態と異なることは、ハードディスク装置１５にポイントテーブル２２を記憶していないこと、およびハードディスク装置１５に記憶するサーバプログラム２１が規定する内容から、ポイント算出に係る処理が省略されていることである。よって、第２実施形態に係るサーバプログラム２１は、携帯電話機３からポイントおよび識別データ６が送信されてくると、送信されてきたポイントに応じたコンテンツを、特典テーブル２３を参照して特定する処理をＭＰＵ１１に行わせることを規定している。なお、第２実施形態では、携帯電話機３およびサーバ装置１０について上述した箇所以外は第１実施形態と同様であるため説明を省略する。
【００７３】
また、第２実施形態に係るポイント算出方法の一連の処理手順は、図１１の第２フローチャートに示す通りであり、第２フローチャートのステップＳ２０からステップＳ２６までの処理は、図７の第１フローチャートにおけるステップＳ１からステップＳ７までと同等である。第２フローチャートにおいては、ステップＳ２７で、携帯電話機３が、クリック操作の受け付けまでに計時した時間を特定し、その計時時間に応じたポイントを、ポイントテーブル６０ｃを参照して算出し（Ｓ２８）、算出したポイントをＲＯＭ６から読み出した識別データ６と共にサーバ装置１０へ送信することになる（Ｓ２９）。
【００７４】
サーバ装置１０は、ポイントおよび識別データ６を受信すると、受信したポイントに応じたコンテンツを図６（ｂ）の特典テーブル２３を参照して特定し（Ｓ３０）、特定したコンテンツを特典データベース２４から読み出して、携帯電話機３へ送信する（Ｓ３１）ことになる。
【００７５】
このように第２実施形態においては、ポイントの算出処理を携帯電話機３で行うので、バナー広告４１をあらゆるユーザに長く見せやすくしたことを確保した上で、サーバ装置１０の処理負担を低減できると云うメリットがある。なお、第２実施形態においても、第１実施形態で説明した各種変形例の適用が可能であり、例えば、図４（ａ）に示すバナー広告４１を含むトップページ４０の表示に伴って自動的に、バナー広告４１の枠サイズを変化させると共に時間の計時を開始する処理を行ってもよい。さらに、バナー広告４１の枠サイズの変化は、プラグインソフト６０ｂのバナー広告４１の枠サイズを変化させることを開始してからの処理の進行度合に基づき特定すること、または表示部４に表示される枠４１ａの左上角４１ｂが表示部４の画素位置に基づき特定することも可能である。
【００７６】
プラグインソフト６０ｂの処理の進行度合に基づき、バナー広告４１の枠サイズの変化を特定する場合は、プラグインソフト６０ｂに含まれるポイントテーブル６０ｃの内容は、図８（ｂ）に示すポイントテーブル２６と同様なものになる。そのため、この場合のプラグインソフト６０ｂは、クリック操作を受け付けたときのプラグインソフト６０ｂにおける処理の進行度合をＣＰＵ３ａに特定させることを規定すると共に、特定した進行度合に応じたポイントを、ポイントテーブル６０ｃを参照してＣＰＵ３ａに算出させて、識別データ６と共にサーバ装置１０へ送信させることを規定する。
【００７７】
また、左上角４１ｂの表示部４の画素位置に基づき、バナー広告４１の枠サイズの変化を特定する場合は、プラグインソフト６０ｂに含まれるポイントテーブル６０ｃの内容は、水平画素位置ごとにポイントが対応づけられたものになる。そのため、この場合のプラグインソフト６０ｂは、クリック操作を受け付けたときの左上角４１ｂの表示部４における水平画素位置（サイズに相当）をＣＰＵ３ａに特定させることを規定すると共に、特定した水平画素位置に応じたポイントを、ポイントテーブル６０ｃを参照してＣＰＵ３ａに算出させて、識別データ６と共にサーバ装置１０へ送信させることを規定する。
【００７８】
さらに、第２実施形態においても、オブジェクトには、図９（ａ）（ｂ）に示す動画４５、４５′を用いることも可能であり、動画４５、４５′に係る内容の変化は、計時、プラグインソフト６０ｂに係る動画の再生処理の進行度合、または動画ファイルの再生箇所のいずれかで特定することができる。
【００７９】
すなわち、計時に基づき動画４５の再生進行程度を特定する場合は、動画４５の表示欄４５ａに対してクリック操作が行われるまでの計時時間を特定し、特定した計時時間に応じたポイントを、ポイントテーブル６０ｃを参照してＣＰＵ３ａに算出させ、識別データ６と共にサーバ装置１０へ送信することをプラグインソフト６０ｂが規定することになる。また、プラグインソフト６０ｂの処理の進行度合に基づき動画４５の再生進行程度を特定する場合は、上述したバナー広告４１に対するプラグインソフト６０ｂの処理進行度合で説明した内容と同等になる。さらに、動画ファイルの再生箇所に基づき、動画４５の再生進行程度を特定する場合は、プラグインソフト６０ｂに含まれるポイントテーブル６０ｃの内容は、動画ファイルの再生位置（再生カウンタ）ごとにポイントが対応づけられたものになる。よって、この場合のプラグインソフト６０ｂは、クリック操作を受け付けたときの動画ファイルの再生位置をＣＰＵ３ａに特定させることを規定すると共に、特定した再生位置に応じたポイントを、ポイントテーブル６０ｃを参照してＣＰＵ３ａに算出させて、識別データ６と共にサーバ装置１０へ送信させることを規定する。
【００８０】
さらにまた、図１０（ａ）（ｂ）に示すように、サイトページ４６（サイト画面上）を移動するアイコン画像４７（車を表したアイコン）をオブジェクトにすることが、第２実施形態でも適用可能であり、アイコン画像４７の移動に係る変化は、計時、プラグインソフト６０ｂに係るアイコン画像４７の移動に係る処理の進行度合、またはアイコン画像４７の表示部４における位置（水平および垂直画素位置）のいずれかで特定することができる。
【００８１】
計時に基づきアイコン画像４７の移動に係る変化を特定する場合は、アイコン画像４７に対してクリック操作が行われるまでの計時時間を特定し、特定した計時時間に応じたポイントを、ポイントテーブル６０ｃを参照してＣＰＵ３ａに算出させ、識別データ６と共にサーバ装置１０へ送信することをプラグインソフト６０ｂが規定することになる。また、プラグインソフト６０ｂの処理の進行度合に基づきアイコン画像４７の移動に係る変化を特定する場合は、上述したバナー広告４１に対するプラグインソフト６０ｂの処理進行度合で説明した内容と同等になる。さらに、アイコン画像４７の表示部４における位置に基づき、動画４５の再生進行程度を特定する場合も、上述したバナー広告４１の左上角４１ｂの表示部４における位置特定の場合の内容と同等になる。
【図面の簡単な説明】
【００８２】
【図１】本発明の第１実施形態に係るポイント算出システムの全体的な構成を示す概略図である。
【図２】携帯電話機の主要な内部構成を示すブロック図である。
【図３】サーバ装置の主要な内部構成を示すブロック図である。
【図４】（ａ）はバナー広告を含むトップページの概略図であり、（ｂ）はバナー広告の枠サイズが拡大した状態を示す概略図、（ｃ）は更に枠サイズが拡大した状態を示す概略図である。
【図５】サイト表示データの概略的なデータ構成を示す図である。
【図６】（ａ）はポイントテーブルを示す図表、（ｂ）は特典テーブルを示す図表である。
【図７】第１実施形態に係るポイント算出方法の処理手順を示す第１フローチャートである。
【図８】（ａ）はプラグインソフトのソフトデータの中身部分の一例を示す図であり、（ｂ）は変形例のポイントテーブルを示す図表である。
【図９】（ａ）（ｂ）は、動画を含むサイトページの概略図である。
【図１０】（ａ）（ｂ）は、移動するアイコン画像を含むサイトページの概略図である。
【図１１】本発明の第２実施形態に係るポイント算出方法の処理手順を示す第２フローチャートである。
【図１２】第２実施形態に係るサイト表示データの概略的な構成を示す図である。
【符号の説明】
【００８３】
１  ポイント算出システム
３  携帯電話機
３ａ  ＣＰＵ
４  表示部
６  識別データ
７  端末プログラム
８  ブラウザプログラム
１０  サーバ装置
１１  ＭＰＵ
１５  ハードディスク装置
２１  サーバプログラム
２２  ポイントテーブル
３１、３２  サイト表示データ
３１ａ  ページデータ
３１ｂ  プラグインソフト
４０  トップページ
４１  バナー広告
４５  動画
４７  アイコン画像
ＮＷ  ネットワーク
【図１】
2008250578.tif 000003
【図２】
2008250578.tif 000004
【図３】
2008250578.tif 000005
【図４】
2008250578.tif 000006
【図５】
2008250578.tif 000007
【図６】
2008250578.tif 000008
【図７】
2008250578.tif 000009
【図８】
2008250578.tif 000010
【図９】
2008250578.tif 000011
【図１０】
2008250578.tif 000012
【図１１】
2008250578.tif 000013
【図１２】
2008250578.tif 000014